(57)【要約】【課題】タブ受端子の浮き上がりを防止することによりフロントホルダの挿着を確実に行うことができるコネクタの端子係止構造を提供する。【解決手段】タブ受端子１８を収容する端子収容室１２を有するとともに、端子収容室１２内に収容されたタブ受端子１８に係止して抜け止めする係止部２３をもつ可撓ランス１３を有するコネクタハウジング１１と、コネクタハウジング１１に対し、仮係止後に本係止され、本係止において端子収容室１２の上壁を形成するフロントホルダ１４と、からなるコネクタの端子係止構造において、フロントホルダ１４が、本係止後に端子収容室１２の上壁となる部分の一部を延長して設けられ、仮係止状態でタブ受端子１８の少なくとも先端側を係止する端子抑え部１５を備えている。【選択図】  図１
2004273374.tif 000002
【特許請求の範囲】
【請求項１】
タブ受端子を収容する端子収容室を有するとともに、前記端子収容室内に収容された前記タブ受端子に係止して抜け止めする係止部をもつ可撓ランスを有するコネクタハウジングと、前記コネクタハウジングに対して仮係止後に本係止されるフロントホルダと、からなるコネクタの端子係止構造において、前記フロントホルダが、仮係止状態で前記タブ受端子の少なくとも先端側を係止する端子抑え部を備えていることを特徴とするコネクタの端子係止構造。
【請求項２】
前記フロントホルダが、仮係止時に前記端子抑え部先端と前記可撓ランスの前記係止部との距離よりも、中途挿入状態のタブ受端子先端部と該係止部との距離の方が常に大きくなるように該端子抑え部の長さが設定されていることを特徴とする請求項１記載のコネクタの端子係止構造。
【発明の詳細な説明】
【０００１】
【発明の属する技術分野】
本発明は、電気接続用コネクタにおけるタブ受端子の係止構造に係り、フロントホルダに仮係止機構を設けたコネクタの端子係止構造に関する。
【０００２】
【従来の技術】
従来のコネクタの端子係止構造として、図４に示すコネクタの端子係止構造は、雌型コネクタハウジング５１に形成されている端子収容室５２の左右両側の夫々内壁面にタブ受端子５４の挿入方向に延びるガイド台を形成している。また、端子収容室５２内に挿入されるタブ受端子５４の左右両側面に、ガイド台に係合される突起を一体形成している。端子収容室５２の外側に、タブ受端子５４に電気的に接続されるタブ端子を挿入する端子孔を有するフロントホルダ５７が被着されている。
【０００３】
このようなコネクタの端子係止構造では、端子収容室５２に設けたガイド台に、タブ受端子５４の両側面に形成した突起をガイドさせて端子収容室５２内にタブ受端子５４を挿入して挿入位置規制を行ない、タブ受端子５４を係止ランス５８の先端に係止させる（例えば、特許文献１参照）。
【０００４】
また、コネクタの端子係止構造の他の構成例として、図５に示すコネクタの端子係止構造は、ハウジング６１のハウジング本体６２に形成された端子収容室６３の上方に空間部が設けられており、端子収容室６３の上方の略中央には、タブ受端子６４に係合してその後方抜けを防止する可撓ランス６５が斜め前方に向けて突設されている。端子収容室６３の下壁には収容したタブ受端子６４の揺動を防止する台座６６が形成され、この台座６６にはタブ受端子６４に係合してその後方抜けを可撓ランス６５と共働して防止する固定突起６７が形成されている。端子収容室６３の上方空間部には両側壁からフロントホルダ６８を案内するための案内条片６９が対向して内側に向けて突設され、これらの案内条片６９の上下はそれぞれ空間部７０とされている。
【０００５】
端子収容室６３の前端部には、タブ受端子６４の前端に当接してその前方抜けを防止する端子係止部７１が形成されている。更に、ハウジング本体６２の前端には、フロントホルダ６８を係合するための小溝７２，溝７３が形成されている。
【０００６】
フロントホルダ６８には、ハウジング本体６２の小溝７２と溝７３に嵌合する嵌合部７４と、可撓ランス６５の上面を押圧する上部押圧部７５と、タブ受端子６４の端子接続部６４ａを押圧する下部押圧部７６と、端子接続部６４ａの前端を押圧してフロントホルダ６８の進入を容易にする傾斜部７７が設けられている。また、フロントホルダ６８の両側部には、ハウジング本体６２の案内条片６９に嵌合する案内溝７８が形成されている（例えば、特許文献２参照）。
【０００７】
また、コネクタの端子係止構造の他の構成例として、図６に示すコネクタの端子係止構造は、コネクタハウジング８１の端子収容室８２を構成する側壁８３の外壁面に仮係止用突起８４が設けられ、仮係止用突起８４と本係止用突起８５とが、フロントホルダ８６の挿入方向アに対して傾斜面８７を有するとともに、間隔Ｌを設定している。
【０００８】
フロントホルダ８６は、端子収容室８２の上空部８８に対して、上壁部８９が、中央ガイド部９０に対して枠体部９１が夫々挿入される。フロントホルダ８６は、端子収容室８２の上壁に設けられた端子係止用可撓性ランス９２の内側面９３に対向する押圧壁部９４を上壁部８９の一端方に形成するとともに、上壁部８９に対し、枠体部９１を垂設しており、枠体部９１の前柱部９５を仮係止用突起８４に対する被係止部、後柱部９６を本係止用突起８５に対する被係止部としている。両係止部９５，９６は、対向する側壁８３に設けた両突起８４，８５に対して可撓性を持たせて嵌合し易くするため、前柱部である仮係止用突起被係止部９５が、コネクタハウジング８１の中央ガイド部９０入口近傍の本係止用突起８５と干渉しないように、柱部９５，９６の突条乗越え側反対面９５´，９６´を板厚の半分ｔほど切欠してある。
【０００９】
フロントホルダ８６は、押圧壁９４の側方に、長手方向に突出した角状の突き当て部９７を一体に形成してある。突き当て部９７は、中空四角柱状のタブ受端子９８の上壁部を両側壁上に切り起こして形成された突起部９９に対して、タブ受端子９８が端子収容部８２内に設けられた係止段部に係合しない状態において、突き当たるように設定してある。（例えば、特許文献３参照）。
【００１０】
【特許文献１】
特開平０５−０４７４３３号公報（第２−３頁、第３図）
【特許文献２】
特開平０７−１５３５２０号公報（第２−３頁、第７図）
【特許文献３】
特開平０２−１５８０６７号公報（第２−３頁、第１図）
【００１１】
【発明が解決しようとする課題】
しかし、上記特許文献１〜３に記載されたコネクタの端子係止構造では、タブ受端子の中途挿入を検知するため、タブ受端子を係止するランス（図４における係止ランス５８、図５における可撓ランス６５、図６における端子係止用可撓性ランス９２）の下部空間に、フロントホルダの一部を挿入するようになっている。そのため、ランスの下部にフロントホルダの一部を挿入する構造上、端子収容室（図４における端子収容室５２、図５における端子収容室６３、図６における端子収容室８２）の上部に、フロントホルダ挿入用の空間が存在する。それにより、フロントホルダが未挿入の状態や、仮係止の状態で、タブ受端子が端子収容室内で浮き上がり、フロントホルダの挿着時に、フロントホルダがタブ受端子に衝突したり、フロントホルダが斜めに挿入されたりする等の支障を来たすおそれがある。
【００１２】
本発明は、上記課題を解決するためになされたものであり、その目的は、タブ受端子の浮き上がりを防止することによりフロントホルダの挿着を確実に行うことができるコネクタの端子係止構造を提供することにある。
【００１３】
【課題を解決するための手段】
上記課題を解決する本発明の請求項１記載のコネクタの端子係止構造は、タブ受端子を収容する端子収容室を有するとともに、前記端子収容室内に収容された前記タブ受端子に係止して抜け止めする係止部をもつ可撓ランスを有するコネクタハウジングと、前記コネクタハウジングに対して仮係止後に本係止されるフロントホルダと、からなるコネクタの端子係止構造において、前記フロントホルダが、仮係止状態で前記タブ受端子の少なくとも先端側を係止する端子抑え部を備えていることを特徴とする。
【００１４】
上記構成のコネクタの端子係止構造によれば、仮係止状態でタブ受端子の少なくとも先端側を係止する端子抑え部がフロントホルダに形成される。
したがって、フロントホルダが本係止に至る以前の仮係止状態において、端子抑え部によってタブ受端子の少なくとも先端側を係止するため、仮係止から本係止までの間、タブ受端子の浮き上がりが防止されることによって、タブ受端子に衝突したり、斜めに挿入されたりすることなく、フロントホルダの挿着を確実に行うことができる。
【００１５】
また、本発明の請求項２記載のコネクタの端子係止構造は、請求項１記載のコネクタの端子係止構造であって、前記フロントホルダが、仮係止時に前記端子抑え部先端と前記可撓ランスの前記係止部との距離よりも、中途挿入状態のタブ受端子先端部と該係止部との距離の方が常に大きくなるように該端子抑え部の長さが設定されていることを特徴とする。
【００１６】
上記構成のコネクタの端子係止構造によれば、端子抑え部の長さが、フロントホルダの仮係止状態で、端子抑え部先端から可撓ランスの係止部までの距離よりも、中途挿入状態のタブ受端子先端部から係止部までの距離の方が常に大きくなる。
したがって、フロントホルダが仮係止である時に、中途挿入状態のタブ受端子先端部から可撓ランスの係止部までの間に端子抑え部先端が配されるため、端子抑え部が、中途挿入状態にあるタブ受端子に係止して、タブ受端子の浮き上がりを確実に防止することができる。
【００１７】
【発明の実施の形態】
以下、本発明のコネクタの端子係止構造の一実施形態を図１乃至図３に基づいて詳細に説明する。
図１は本発明の一実施形態のコネクタの端子係止構造を説明するフロントホルダの仮係止状態での断面図、図２は図１に示すコネクタの端子係止構造に用いたフロントホルダの単体断面図、図３は図２に示すフロントホルダの外観斜視図である。
【００１８】
図１に示すように、本発明の一実施形態のコネクタの端子係止構造は、端子収容室１２，１２と可撓ランス１３，１３とが形成されたコネクタハウジング（雌コネクタ）１１と、端子抑え部１５，１５が形成されたフロントホルダ１４と、から一組にしてなる。コネクタハウジング１１は、図示しないタブ端子を有するコネクタハウジング（雄コネクタ）に嵌合される。
【００１９】
コネクタハウジング１１は、筒形状のハウジング本体１６を有する。端子収容室１２，１２は、ハウジング本体１６の内周部に隔板部１７を介して対向位置に形成されている。端子収容室１２，１２には、一対のタブ受端子１８，１８が収容される。端子収容室１２，１２の先端部には、フロントホルダ挿入口１９が形成されており、フロントホルダ挿入口１９にタブ端子挿入用のハウジング側端子挿入孔２０，２０が形成されている。ハウジング側端子挿入孔２０，２０は、フロントホルダ１４に形成されたフロントホルダ側端子挿入孔２１，２１と合致することにより、タブ端子に対応した矩形の開口を形成する。
【００２０】
可撓ランス１３，１３は、隔板部１７のタブ端子挿入側端部に形成されている。可撓ランス１３，１３は、隔板部１７を介して背合わせに配されている。可撓ランス１３，１３は、端子収容室１２，１２の外周側に有する下壁２２，２２に反する方向に向け弾性変形可能に形成されており、先端部に凹形状をなす係止部２３，２３が形成されている。
【００２１】
可撓ランス１３，１３は、タブ受端子１８，１８が端子収容室１２，１２に挿入される際、中途挿入状態において、タブ受端子１８，１８の先端側に配されていてタブ端子を挟み込んで電気的に接続可能に嵌着される接続部２４，２４に摺接する。これにより、下壁２２，２２に反する方向である可撓ランス１３，１３が互いに近づく方向に弾性変形され、タブ受端子１８，１８の接続部２４，２４に対して、その弾性反発力をもって摺接することにより、タブ受端子１８，１８を端子収容室１２，１２の下壁２２，２２に向けて押圧する。
【００２２】
また、可撓ランス１３，１３は、タブ受端子１８，１８の挿入終了状態において、タブ受端子１８，１８の接続部２４，２４の後端に形成された段部２５，２５に係止することにより、タブ受端子１８，１８が端子収容室１２，１２から抜け出さないように保持する。
【００２３】
フロントホルダ１４は、コネクタハウジング１１と同様の樹脂製であって、断面視略Ｔ字形状のホルダ本体２６を有する。ホルダ本体２６の基端部には、対向配置された第１，第２側板２７，２８（第２側板２８は図３に示す）が形成されている。第１側板２７の下面には、２個の係合突起２９，３０が突出形成されている。係合突起２９，３０は、フロントホルダ１４がコネクタハウジング１１内に本係止される際に、端子収容室１２，１２内に形成された係合部（図示しない）に係合される。
【００２４】
また、ホルダ本体２６の基端部には、フロントホルダ１４が本係止後に端子収容室１２，１２の上壁となる上壁形成用部３１，３１が上下の対向位置に形成されている。そして、端子抑え部１５，１５は、上壁形成用部３１，３１から先端側へ向け、上壁形成用部３１，３１と同一面をなして延長して設けられている。端子抑え部１５，１５は、フロントホルダ１４が図１に示す仮係止状態において、端子収容室１２，１２に挿入されたタブ受端子１８，１８の接続部２４，２４における先端部に係止する。
【００２５】
ここで、端子抑え部１５，１５は、フロントホルダ１４が仮係止状態において、端子抑え部１５，１５の先端部と可撓ランス１３，１３の係止部２３，２３との距離ａよりも、中途挿入状態のタブ受端子１８，１８の先端部と係止部２３，２３との距離ｂの方が常に大きくなるように長さが設定されている。そのため、フロントホルダ１４が仮係止状態にある時に、中途挿入状態のタブ受端子１８，１８の先端部から可撓ランス１３，１３の係止部２３，２３までの間に端子抑え部１５，１５が配されるため、端子抑え部１５，１５が中途挿入状態にあるタブ受端子１８，１８の接続部２４，２４に係止される。これによって、タブ受端子１８，１８の浮き上がりを確実に防止することができる。端子抑え部１５，１５は、タブ受端子１８，１８の段部２５，２５に可撓ランス１３，１３の係止部２３，２３が係止されることによって、タブ受端子１８，１８が端子収容室１２，１２の正規位置に配されるとき、タブ受端子１８，１８の接続部２４，２４に既に係止している。
【００２６】
更に、ホルダ本体２６の先端部３２は、板形状に突出しており、フロントホルダ２６が本係止になった時に、可撓ランス１３，１３の間に挿入される。ホルダ本体２６の先端部３２が、可撓ランス１３，１３の間に挿入されることによって、可撓ランス１３，１３の弾性変形を阻止し、係止部２３，２３がタブ受端子１８，１８の段部２５，２５から容易に外れないようにする。
【００２７】
図２に示すように、フロントホルダ１４に形成された端子抑え部１５，１５は、上壁形成用部３１，３１の長さＬ１のほぼ３倍の長さＬ２を有する。これは、フロントホルダ１４が本係止となった際に、可撓ランス１３，１３に衝突しない長さである。そして、端子抑え部１５，１５は、フロントホルダ１４が本係止状態となった時に、上壁形成用部３１，３１とともに端子収容室１２，１２における上壁を形成して、タブ受端子１８，１８の浮き上がりを阻止し、タブ受端子１８，１８を端子収容室１２，１２内に保持する。
【００２８】
図３に示すように、第２側板２８の上面には、２個の係合突起３３，３４が突出形成されている。係合突起３３，３４は、第１側板２７の係合突起２９，３０と一対に配されており、フロントホルダ１４がコネクタハウジング１１内に本係止される際に、端子収容室１２，１２内に形成された係合部（図示しない）に係合される。端子抑え部１５，１５は、上壁形成用部３１，３１よりもわずかに小さい幅を有して延長しており、第１，第２側板２７，２８よりも先端側への突出量が多い。
【００２９】
本実施形態に係るコネクタの端子係止構造によれば、本係止後に端子収容室１２，１２の上壁となる部分の一部を延長して設けられていて、仮係止状態でタブ受端子１８，１８の先端部の接続部２４，２４に係止する端子抑え部１５，１５がフロントホルダ１４に形成されている。そして、端子抑え部１５，１５の長さが、フロントホルダ１４の仮係止状態で、端子抑え部１５，１５の先端から可撓ランス１３，１３の係止部２３，２３までの距離ａよりも、中途挿入状態のタブ受端子１８，１８の接続部２４，２４の先端部から係止部２３，２３までの距離ｂの方が常に大きくなるように設定されている。
【００３０】
したがって、フロントホルダ１４が本係止に至る以前の仮係止状態において、本係止後に端子収容室１２，１２の上壁となる部分の一部を延長して設けられた端子抑え部１５，１５によってタブ受端子１８，１８の接続部２４，２４の先端側を係止するため、仮係止から本係止までの間、タブ受端子１８，１８の浮き上がりが防止される。これによって、タブ受端子１８，１８に衝突したり、斜めに挿入されたりすることなく、フロントホルダ１４の挿着を確実に行うことができる。また、フロントホルダ１４が仮係止である時に、中途挿入状態のタブ受端子１８，１８の接続部２４，２４の先端部から可撓ランス１３，１３の係止部２３，２３までの間に端子抑え部１５，１５の先端部が配されるため、端子抑え部１５，１５が、中途挿入状態にあるタブ受端子１８，１８に係止して、タブ受端子１８，１８の浮き上がりを確実に防止することができる。
【００３１】
なお、本発明に係るコネクタの端子係止構造は、上述した実施形態に限定されるものではなく、適宜な変形、改良等が可能である。例えば、端子収容室が、図示する縦列に代えて横列に配されている場合には、可撓ランスもそれに対応して横方向に一対に設けられれば良い。勿論、その場合には、端子抑え部も横方向に一対に設けられる。
また、端子抑え部上には、タブ受端子の接続部との間での摩擦力を調整するために、小突起や凹部を形成しても良い。
【００３２】
【発明の効果】
以上説明したように本発明の請求項１記載のコネクタの端子係止構造によれば、仮係止状態でタブ受端子の少なくとも先端側を係止する端子抑え部がフロントホルダに形成される。
したがって、フロントホルダが本係止に至る以前の仮係止状態に、端子抑え部によってタブ受端子の少なくとも先端側を係止するため、仮係止から本係止までの間、タブ受端子の浮き上がりが防止されることによって、タブ受端子に衝突したり、斜めに挿入されたりすることなく、フロントホルダの挿着を確実に行うことができる。
【００３３】
また、本発明の請求項２記載のコネクタの端子係止構造によれば、端子抑え部の長さが、フロントホルダの仮係止状態で、端子抑え部先端から可撓ランスの係止部までの距離よりも、中途挿入状態のタブ受端子先端部から係止部までの距離の方が常に大きくなる。
したがって、フロントホルダが仮係止である時に、中途挿入状態のタブ受端子先端部から可撓ランスの係止部までの間に端子抑え部先端が配されるため、端子抑え部が、中途挿入状態にあるタブ受端子に係止して、タブ受端子の浮き上がりを確実に防止することができる。
【図面の簡単な説明】
【図１】本発明の一実施形態に係るコネクタの端子係止構造を説明するフロントホルダの仮係止状態での断面図である。
【図２】図１に示したコネクタの端子係止構造に用いたフロントホルダの単体断面図である。
【図３】図２に示したフロントホルダの外観斜視図である。
【図４】従来のコネクタの端子係止構造を説明する断面図である。
【図５】従来の他の構成のコネクタの端子係止構造を説明する断面図である。
【図６】従来の更に他の構成のコネクタの端子係止構造を説明する断面図である。
【符号の説明】
１１  コネクタハウジング
１２  端子収容室
１３  可撓ランス
１４  フロントホルダ
１５  端子抑え部
１８  タブ受端子
２３  係止部
【図１】
2004273374.tif 000003
【図２】
2004273374.tif 000004
【図３】
2004273374.tif 000005
【図４】
2004273374.tif 000006
【図５】
2004273374.tif 000007
【図６】
2004273374.tif 000008